(57)【特許請求の範囲】
【請求項１】
駆動源に連結したデフケースの回転に伴って円周方向に移動する複数の入力側ブロックと、これらの入力側ブロックを相対滑り可能に挟み込むとともに各ブロックとの摩擦力で独立して回転することで出力側の差動を発生させる２つの出力側カムとを備えた差動装置において、
前記入力側ブロックを複数種類で構成し、これらの入力側ブロックに種類に応じて幅を異ならせた凸部を設け、これらの凸部にそれぞれ嵌合する凹部を入力側ブロックの種類に応じて幅が異なるように前記デフケース側に設け、
複数種類の前記入力側ブロックの一つは、前記凸部に窪みを備え、この凸部に嵌合する前記凹部は、前記窪みに対応する突起を備え、
前記凸部の幅は二種類有り、
幅の狭い前記凸部の先端面に前記窪みが設けられるとともに、この凸部に嵌合する凹部の底に前記突起が設けられ、
この凸部に嵌合する凹部の幅は、この凹部に他方の凸部を嵌合しようとした場合に、この凹部の底と他方の凸部の先端面との隙間が形成されて凹部の突起が他方の凸部の先端面に干渉しないように、他方の凸部の幅に対して小さく形成されることを特徴とする差動装置。
【発明の詳細な説明】
【０００１】
【発明の属する技術分野】
本発明は誤組付を防止するのに好適な差動装置に関する。
【０００２】
【従来の技術】
四輪車等の車輪間の回転数差を吸収するとともに各車輪へ駆動トルクを配分する差動装置としては、例えば、特表平８−５００６５９号公報「差動機構」が知られている。
【０００３】
上記技術には、同公報の図５に示される通り、駆動力側となる入力ハウジング１１と、この入力ハウジング１１の内周面に設けた複数の溝３９と、入力ハウジング１１の内周側に配置した複数の二種類のカム従動子２８と、これらのカム従動子２８に一体に成形するとともに上記溝３９に嵌合する駆動ドッグ３６と、これらの駆動ドッグ３６のうちの一方の種類のカム従動子２８の駆動ドッグ３６に、他方の種類と識別するために設けた溝３６ａとが記載されている。
入力ハウジング１１内にカム従動子２８を組付ける場合には、駆動ドッグ３６に溝３６ａがあるものとないものとを２つずつ交互に周方向に並べる。
【０００４】
【発明が解決しようとする課題】
上記技術では、入力ハウジング１１内にカム従動子２８を組付ける場合及び組付の確認を行う場合には、溝３６ａの有無を目視でチェックするが、見誤りや見落しが発生して、誤組付することが考えられる。
この対策として、差動機構が完成した後に、全数の作動テストを行って誤組付を確認することも可能であるが、作業工数が増えて、生産性の低下を招くという不都合がある。
【０００５】
そこで、本発明の目的は、誤組付をより確実に防止することができる差動装置を提供することにある。
【０００６】
【課題を解決するための手段】
上記目的を達成するために請求項１は、駆動源に連結したデフケースの回転に伴って円周方向に移動する複数の入力側ブロックと、これらの入力側ブロックを相対滑り可能に挟み込むとともに各ブロックとの摩擦力で独立して回転することで出力側の差動を発生させる２つの出力側カムとを備えた差動装置において、前記入力側ブロックを複数種類で構成し、これらの入力側ブロックに種類に応じて幅を異ならせた凸部を設け、これらの凸部にそれぞれ嵌合する凹部を入力側ブロックの種類に応じて幅が異なるようにデフケース側に設け、複数種類の前記入力側ブロックの一つが、凸部に窪みを備え、この凸部に嵌合する凹部が、窪みに対応する突起を備え、凸部の幅が二種類有り、幅の狭い凸部の先端面に窪みが設けられるとともに、この凸部に嵌合する凹部の底に突起が設けられ、この凸部に嵌合する凹部の幅が、この凹部に他方の凸部を嵌合しようとした場合に、この凹部の底と他方の凸部の先端面との隙間が形成されて凹部の突起が他方の凸部の先端面に干渉しないように、他方の凸部の幅に対して小さく形成されることを特徴とする。
【０００７】
デフケース側に設けた凹部に合致した幅の凸部を有する入力側ブロックはデフケース側に結合させることができる。
デフケース側に設けた凹部に合致しない幅の凸部を有する入力側ブロックはデフケース側に結合させることができない。
従って、デフケース側への入力側ブロックの誤組付を防止することができる。
【０００８】
また、凹部の突起と凸部の窪みとが対応しない、即ち対向しないことも明らかに認識することができ、入力側ブロックの種類に応じて凸部の幅を異ならせたことと合せて二重に誤組付の確認をより確実に行うことができる。
【０００９】
【発明の実施の形態】
本発明の実施の形態を添付図に基づいて以下に説明する。なお、図面は符号の向きに見るものとする。
図１は本発明に係る差動装置の分解斜視図であり、作動装置としてのデファレンシャルケース組立体５０は、デファレンシャルケース７１と、このデファレンシャルケース７１内に収納する収納部品７２とからなる。
【００１０】
デファレンシャルケース７１は、筒状のデフケースとしてのケース本体７３と、このケース本体７３の一方の開口部に取付けるキャップ部（後述する。）にリングギヤ７５ａを一体成形したリングギヤ付きキャップ７５とからなる。
【００１１】
収納部品７２は、デファレンシャルケース７１と結合して一体的に回転する二種類の入力側ブロック７７…（…は複数個を示す。以下同様。），７８…と、これらの入力側ブロック７７…，７８…を相対滑り可能に挟み込むとともに各ブロックとの摩擦力で独立して回転することができる出力側カムとしての左・右出力側カム８１，８２と、これらの左・右出力側カム８１に隣接させたスラストベアリング８３，８３と、スラストワッシャ８４，８４と、皿ばね８５とからなる。なお、スラストベアリング８３，８３は省いてもよい。
【００１２】
図２は本発明に係る差動装置の組立た状態での断面図である。
デファレンシャルケース組立体５０は、ケース本体７３に、順にスラストワッシャ８４、スラストベアリング８３、右出力側カム８２、円周方向に並べた入力側ブロック７７…，７８…、左出力側カム８１、スラストベアリング８３、スラストワッシャ８４、皿ばね８５を重ねて収納し、リングギヤ付きキャップ７５をケース本体７３にボルト８７…（１個のみ示す。）で取付けた装置である。
【００１３】
図３（ａ）〜（ｃ）は本発明に係る差動装置の入力側ブロックを説明する説明図である。
（ａ）は組立てたデファレンシャルケース組立体５０からリングギヤ付きキャップ７５（図１参照）及び左出力側カム８１（図１参照）を外した状態を示す。
ケース本体７３は、内周面に、デファレンシャルケース組立体５０の回転軸（図の表裏方向に延びる軸）に平行に凹部としての軸方向溝７３ａ…，７３ｂ…を２本ずつ交互に形成したものである。
入力側ブロック７７…，７８…は、それぞれ凸部７７ａ…，７８ａ…を設け、これらの凸部７７ａ…，７８ａ…をケース本体７３の軸方向溝７３ａ…，７３ｂ…にそれぞれ嵌合させるようにして周方向に２個ずつ交互に並べたものである。
【００１４】
（ｂ）はケース本体７３と、このケース本体７３に噛み合う入力側ブロック７７とを示す（ａ）の要部拡大図である。
軸方向溝７３ａは略台形状の溝であり、また、凸部７７ａは軸方向溝７３ａの形状に略相似な形状とした部分である。ここで、凸部７７ａの幅としての上部幅をＬ１とする。
【００１５】
（ｃ）はケース本体７３と、このケース本体７３に噛み合う入力側ブロック７８とを示す（ａ）の要部拡大図である。
軸方向溝７３ｂは略台形状の溝であり、また、凸部７８ａは軸方向溝７３ｂの形状に略相似な形状とした部分である。ここで、凸部７８ａの幅としての上部幅をＬ２とすると、この上部幅Ｌ２は、（ｂ）で示した上部幅Ｌ１とは異なる、即ちＬ１≠Ｌ２である。
（ｂ），（ｃ）では、Ｌ１＞Ｌ２であるが、Ｌ１＜Ｌ２でもよい。
また、軸方向溝７３ｂは溝底に突起７３ｃを備え、凸部７８ａは上面に前述の突起７３ｃに対応する窪み７８ｂを備える。
【００１６】
次に差動装置の入力側ブロックの誤組付について説明する。
図４（ａ），（ｂ）は本発明に係る差動装置の入力側ブロックの誤組付について説明する作用図である。
（ａ）において、本来なら、ケース本体７３の軸方向溝７３ａに入力側ブロック７７の凸部７７ａを嵌合し、ケース本体７３の軸方向溝７３ｂに入力側ブロック７８の凸部７８ａを嵌合しなければならないが、誤って（１）軸方向溝７３ａに入力側ブロック７８の凸部７８ａを嵌合しようとし、また、（２）ケース本体７３の軸方向溝７３ｂに入力側ブロック７７の凸部７７ａを嵌合しようとした場合、（ｂ）に示すように、上記（１）の場合には、入力側ブロック７７の上部幅Ｌ１に対して入力側ブロック７８の上部幅Ｌ２が小さいため、ケース本体７３の軸方向溝７３ａと入力側ブロック７８の凸部７８ａとの間に大きな隙間が生じ、上記（２）の場合には、（１）の場合とは反対に、ケース本体７３の軸方向溝７３ｂに入力側ブロック７７の凸部７７ａを完全に嵌合することができず、上記（１），（２）の両方の場合で容易にしかも確実に誤組付と認識することができる。
【００１７】
更に、軸方向溝７３ｂの突起７３ｃと凸部７８ａの窪み７８ｂとが対応しない、即ち対向しないことも明らかに認識することができ、上記した上部幅Ｌ１，Ｌ２と合せて二重に誤組付の確認をより確実に行うことができる。
【００１８】
このように、図２（ａ）〜（ｃ）において、本発明の作動装置としてのデファレンシャルケース組立体５０は、駆動源に連結したリングギヤ７５（図１参照）の回転に伴って円周方向に移動する複数の入力側ブロック７７，７８と、これらの入力側ブロック７７，７８を相対滑り可能に挟み込むとともに各ブロック７７，７８との摩擦力で独立して回転することで出力側の差動を発生させる２つの出力側カム８１，８２（図１参照）とを備えたデファレンシャルケース組立体５０において、入力側ブロック７７，７８を複数種類で構成し、これらの入力側ブロック７７，７８に種類に応じて上部幅Ｌ１，Ｌ２を異ならせた凸部７７ａ，７８ａを設け、これらの凸部７７ａ，７８ａに嵌合する軸方向溝７３ａ，７３ｂをリングギヤ７５側に設けたことを特徴とする。
【００１９】
上記構成により、リングギヤ７５側への入力側ブロック７７，７８の誤組付をより確実に防止することができる。
従って、誤組付による再組付等の無駄な工数が発生せず、生産性を向上させることができる。
【００２０】
尚、本発明では、図２（ｂ），（ｃ）で説明したように、凸部７７ａ，７８ａの上部幅Ｌ１、Ｌ２を、径方向に直角な方向の幅としたが、要は異なる種類の入力側ブロック７７，７８で、凸部の寸法を異ならせて別なものが結合できない形状にすればよい。
【００２１】
【発明の効果】
本発明は上記構成により次の効果を発揮する。
請求項１の作動装置は、入力側ブロックを複数種類で構成し、これらの入力側ブロックに種類に応じて幅を異ならせた凸部を設け、これらの凸部にそれぞれ嵌合する凹部を入力側ブロックの種類に応じて幅が異なるようにデフケース側に設けたので、デフケース側への入力側ブロックの誤組付をより確実に防止することができる。
従って、誤組付による再組付等の無駄な工数が発生せず、生産性を向上させることができる。
【００２２】
また、複数種類の入力側ブロックの一つが、凸部に窪みを備え、この凸部に嵌合する凹部が、窪みに対応する突起を備えるので、凹部の突起と凸部の窪みとが対応しない、即ち対向しないことも明らかに認識することができ、入力側ブロックの種類に応じて凸部の幅を異ならせたことと合せて二重に誤組付の確認をより確実に行うことができる。
【図面の簡単な説明】
【図１】  本発明に係る差動装置の分解斜視図
【図２】  本発明に係る差動装置の組立た状態での断面図
【図３】  本発明に係る差動装置の入力側ブロックを説明する説明図
【図４】  本発明に係る差動装置の入力側ブロックの誤組付について説明する作用図
【符号の説明】
５０…作動装置（デファレンシャルケース組立体）、７３…デフケース（ケース本体）、７３ａ，７３ｂ…凹部（軸方向溝）、７３ｃ…突起、７７，７８…入力側ブロック、７７ａ，７８ａ…凸部、７８ｂ…窪み、８１，８２…出力側カム（左出力側カム、右出力側カム）、Ｌ１，Ｌ２…凸部の幅（上部幅）。
【図１】
0004356850.tif 000002
【図２】
0004356850.tif 000003
【図３】
0004356850.tif 000004
【図４】
0004356850.tif 000005